(57)【特許請求の範囲】
【請求項１】
擬音発生器と、該擬音発生器以外の便器電装品とを有する便器設備において、
該擬音発生器と該便器電装品との停止スイッチを兼用としており、
該擬音発生器と便器電装品のいずれもが作動中であるときに最初に該停止スイッチが操作されるとまず該便器電装品の作動を停止し、次に該停止スイッチが操作されると該擬音発生器の作動を停止させるようにしたことを特徴とする便器設備。
【請求項２】
擬音発生器と、該擬音発生器以外の便器電装品とを有する便器設備において、
該擬音発生器以外の便器電装品の操作スイッチによって操作される擬音音量調節手段を備えたことを特徴とする便器設備。
【発明の詳細な説明】
【０００１】
【発明の属する技術分野】
本発明は、便器流水音などの音を発生させる擬音装置を備えた便器設備に関するものである。
【０００２】
【従来の技術】
Ｉ．  便器流水音などの擬音を発生させる擬音装置付きの便器設備が既に実用化されている。従来の擬音装置付き便器設備にあっては、擬音スイッチを押すと擬音が発生し、所定時間擬音がスピーカ等から流れ続ける。別の従来の擬音装置付き便器として、擬音が発生している途中で擬音スイッチを押すと、その時点で擬音タイマがリセットされ擬音発生時間が延長されるようにしたものもある。
【０００３】
ＩＩ．  擬音発生器から発生する擬音は、便器使用音などを隠すためのものであるから、ある程度の音量が必要である。従来の擬音発生器はボリューム等の音量調節器をケース内に配置したり、専用工具でなければ操作できないように構成し、むやみに音量変更されないように構成している。
【０００４】
【発明が解決しようとする課題】
Ｉ．  擬音が発生している途中で擬音を停止したいときがあるが、この擬音停止専用のスイッチを設けると、便器設備のスイッチの数が徒に多くなり、美感が悪くなったり、操作方法が分りにくくなったりする。
【０００５】
本発明は、スイッチ数を増やすことなく便器設備に擬音停止機能を具備させることを目的とする。
【０００６】
ＩＩ．  擬音音量の調節手段をケース内に配置したり、専用工具でなければ操作できないように構成した場合、逆に擬音音量調節作業が難しくなったり、専用工具を作業者が忘れて来たり紛失したりしたときには音量調節ができなくなるという不便がある。
【０００７】
本発明は擬音の音量調節の方法を知っている者にはこの調節作業が容易であるが、調節方法を知らない者によっては擬音音量調節が行われることがなく、悪戯等のおそれの無い便器設備を提供することを目的とする。
【０００８】
【課題を解決するための手段】
本発明（請求項１）の便器設備は、擬音発生器と、該擬音発生器以外の便器電装品とを有する便器設備において、該擬音発生器と該便器電装品との停止スイッチを兼用としており、該擬音発生器と便器電装品のいずれもが作動中であるときに最初に該停止スイッチが操作されるとまず該便器電装品の作動を停止し、次に該停止スイッチが操作されると該擬音発生器の作動を停止させるようにしたことを特徴とするものである。
【０００９】
かかる便器設備にあっては、擬音発生器専用のスイッチを設けることなく擬音を途中で止めることができる。
【００１０】
この便器設備は、擬音発生器と便器電装品のいずれもが作動中であるときに最初に該停止スイッチが操作されるとまず該便器電装品の作動を停止し、次に該停止スイッチが操作されると該擬音発生器の作動を停止させるよう構成されていることにより、便器電装品と擬音発生器との停止を別々に行うことができる。
【００１１】
本発明（請求項２）の便器設備は、擬音発生器と、該擬音発生器以外の便器電装品とを有する便器設備において、該擬音発生器以外の便器電装品の操作スイッチによって操作される擬音音量調節手段を備えたことを特徴とするものである。
【００１２】
かかる便器設備によれば、擬音音量の調節方法を知っている作業者等にとっては音量を容易に調節でき、この調節方法を知らない一般使用者等によっては擬音音量調節がなされないので、デパート、オフィスビル等の公共的なトイレに設置された擬音発生器付き便器設備において擬音音量が悪戯によって調節されることが防止される。
【００１３】
この場合、便器電装品の操作スイッチを当該操作スイッチの使用方法とは異なる操作態様によって操作された場合に擬音発生器の音量調節が行われるようにするのが好ましい。
【００１４】
【発明の実施の形態】
以下、図面を参照して実施の形態について説明する。図１は実施の形態に係る擬音装置を備えた便座ボックスの透視斜視図、図２はこの便座ボックスの斜視図、図３はこの便座ボックスから便座及び便蓋を取り外した状態の斜視図である。
【００１５】
便座ボックス１は洋風便器の後部上面に設置されるものであり、その前面側に便座２及び便蓋３が起倒回動可能に取り付けられる。便座ボックス１は側方に張り出す張り出し部４を一体に備えており、この張り出し部４の上面にスイッチ群５と洗浄強さ調節用のダイアル６とが設けられている。
【００１６】
便座ボックス１は、ケースボトム１０とケースアッパー１１とを有した箱状ケーシングよりなる。ケースボトム１０はボルト（図示略）により洋風便器の後部上面に固定される。ケースアッパー１１はケースボトム１０に対しビス（図示略）によって着脱可能に連結されている。
【００１７】
便座ボックス１内には温水タンク１２、給湯ホース１３、切替弁１４、お尻洗浄ノズル１５、ビデ洗浄ノズル１６等よりなる臀部洗浄機構が設置されている。該温水タンク１２へ給水チューブ８及びストレーナ９を介して水道水が供給される。温水タンク１２内の温水がノズル１５又は１６の先端から噴出して便座着座者の臀部に注ぎかけられる。
【００１８】
また、便座ボックス１内には脱臭ファン１７及び温風ファン（図示略）と擬音発生器２０とが設けられている。
【００１９】
脱臭ファン１７は、洋風便器の便鉢内の空気を吸い込み活性炭等のフィルタを通過させた後該空気をトイレルーム内へ放出させるよう構成されている。温風ファンは温風を便座着座者の臀部に吹き付けて乾燥を行うためのものである。図３の通り便座ボックス１の前面の温風吐出口にシャッタ１８が設けられている。
【００２０】
前記スイッチ群５には、お尻洗浄ノズル１５の作動用のお尻洗浄スイッチ、ビデ洗浄ノズル１６の作動用のビデ洗浄スイッチ、温風ファンの作動用の乾燥スイッチ、脱臭ファン１７の作動用の脱臭スイッチ、擬音発生器の作動用の擬音スイッチ２１が設けられていると共に、該擬音発生器２０及びそれ以外のこれらの便器電装品の作動停止用のストップスイッチ２２が設けられている。
【００２１】
擬音スイッチ２１及びそれ以外の各便器電装品の作動用のスイッチを押すことにより擬音発生器２０や各機器が作動を開始する。なお、擬音スイッチ２１を押すと、擬音発生器２０が所定時間ｔだけ鳴り続ける。擬音発生器２０が鳴っている状態にあるときに擬音スイッチ２１をもう１回押すと、この押した時点から時間ｔだけ擬音発生器２０が鳴り続ける。
【００２２】
ストップスイッチ２２を押すと、これらの機器が停止する。擬音発生器２０とそれ以外の１又は２以上の上記便器電装品とが作動している状態において、該ストップスイッチ２２が押されると、まず擬音発生器２０以外の機器が停止し、その後もう１回ストップスイッチ２２が押されると擬音発生器２０も停止する。
【００２３】
このように擬音発生器２０以外に多数の機器が設置されていても、１個のストップスイッチによって擬音発生器や各機器の作動停止を行うことができる。そして、ストップスイッチの個数が１個で済むから、コストダウンになると共に、張り出し部４上の比較的狭いスペースにおける各スイッチ同士の間隔を大きくとり、スイッチの区別を分り易くすることができる。
【００２４】
なお、この実施の形態にあっては、スイッチ群５には、さらに、暖房便座スイッチと、便座の温度及び上記洗浄ノズル１５，１６からの噴出温水の温度を調節するための温度調節スイッチとが設けられている。暖房便座スイッチは、これを１回押すと暖房便座がＯＮとなり、もう１回押すと暖房便座がＯＦＦとなる。温度調節スイッチは、暖房便座がＯＮとしてあるときには暖房便座の温度を調節するように機能し、暖房便座がＯＦＦであるときには洗浄ノズル１５，１６からの噴出温水の温度を調節するように機能する。
【００２５】
この実施の形態にあっては、前記の擬音スイッチ２１以外の便器電装品の操作スイッチのうちいずれか複数個のものを同時に押した状態において、この温度調節スイッチを操作することにより擬音音量が大小調節されるよう構成されている。この擬音音量調節方法はかなり特殊であり、この方法を知らない限りは擬音音量調節ができない。
【００２６】
もちろん、擬音音量調節方法はこれに限られるものではなく、通常のスイッチ操作形態ではまず実行されることが無いであろう形態にて擬音音量調節が行われる各種形態を採用できる。
【００２７】
【発明の効果】
以上の通り、本発明（請求項１）によると擬音停止専用のスイッチを設置することなく擬音を途中で停止することができ、スイッチ個数を減少させ、コストダウンやスイッチを分り易いものとすることも可能である。
【００２８】
本発明（請求項２）によると、擬音の音量調節作業が簡単になると共に、悪戯によって擬音音量が変えられることも防止される。
【図面の簡単な説明】
【図１】実施の形態に係る擬音装置を備えた便座ボックスの透視斜視図である。
【図２】便座ボックスの斜視図である。
【図３】便座ボックスから便座及び便蓋を取り外した状態の斜視図である。
【符号の説明】
１  便座ボックス
２  便座
３  便蓋
２０  擬音発生器
２１  擬音スイッチ
２２  ストップスイッチ
【図１】
0003593908.tif 000002
【図２】
0003593908.tif 000003
【図３】
0003593908.tif 000004